(57)【要約】【課題】水切りジョイナーの直下の野地板上に当接された状態で敷設された防水シート上を雨水が軒先方向に流れやすくして、水切りジョイナーの背面側の雨水の排水を良好にすることのできる瓦敷設用水切りジョイナーを提供する。【解決手段】水切りジョイナー本体１の表面に上下に連通する排水溝２を形成し、この排水溝２の上部に第一水平面３と同一になる立上げ部４を立設し、この立上げ部４の上端を棟側に延設して第二水平面５を形成し、この第二水平面５の上方に裏面に空間部６が形成されるように堰部７を設けたものである。【選択図】        図１
2004250891.tif 000002
【特許請求の範囲】
【請求項１】
水切りジョイナー本体の表面に上下に連通する排水溝を形成し、該排水溝の上部に第一水平面と同一になる立上げ部を立設し、該立上げ部の上端を棟側に延設して第二水平面を形成し、該第二水平面の上方に裏面に空間部が形成されるように堰部を設けることを特徴とする瓦敷設用水切りジョイナー。
【請求項２】
上記水切りジョイナー本体の表面に上下に連通する排水溝の両側端部に立設する側端立上げ部を形成することを特徴とする請求項１記載の瓦敷設用水切りジョイナー。
【請求項３】
上記水切りジョイナー本体が金属製又は合成樹脂製であることを特徴とする請求項１又は請求項２記載の瓦敷設用水切りジョイナー。
【発明の詳細な説明】
【０００１】
【発明の属する技術分野】
本発明は、セメント系、コンクリート系、粘土系の平板瓦の雨仕舞い性を向上するための瓦敷設用水切りジョイナーに関するものである。
【０００２】
【従来の技術】
従来、図６乃至図８のように、水切りジョイナー本体１の表面に上下に連通する排水溝２を形成し、この排水溝２が上部で途中でなくなり、水平部とする水切りジョイナー２０が用いられていた。そのために野地板１０の上に敷設された防水シート１１上に水切りジョイナー２０の後端を防水シート１１上に当接し、この水切りジョイナー２０の中心線上に平板瓦同士の側端面が当接された場合に、この当接目地から雨水３０が浸入しても排水溝２を介して下方に流出するが、一旦平板瓦の背面側に廻った雨水は、水切りジョイナー２０の上端の裏面で堰き止められ下方に排出されにくいという問題があった。
【０００３】
また、水切りジョイナーを用いた瓦葺き構造は、平板瓦の暴露率の向上と防水性能を高めるために、横方向に隣り合う２枚の平板瓦の突き合わせ端部の直下に水切り兼用の連結材（水切りジョイナー）が介在され、この水切りジョイナーの棟側端に立上り部を設けたものがある。（例えば、特許文献１参照）
【０００４】
【特許文献１】
特開２００２−２７６０８９号公報（第１−３頁、図１〜図３）
【０００５】
このように、水切りジョイナーの棟側端に立上り部を設けたものがあるが、この水切りジョイナーの上端の立上り部を越えた雨水は、水切りジョイナーの直下の野地板上に当接された状態で敷設された防水シート上を雨水が流れにくくなるので滞留し易く、浸入した雨水を早く排出して雨漏れ防水を図らなければならなかった。
【０００６】
【発明が解決しようとする課題】
本発明は上記問題点の解決を目的とするものであり、水切りジョイナーの直下の野地板上に当接された状態で敷設された防水シート上を雨水が軒先方向に流れやすくして、水切りジョイナーの背面側の雨水の排水を良好にすることのできる瓦敷設用水切りジョイナーを提供するものである。
【０００７】
【課題を解決するための手段】
本発明の請求項１記載の瓦敷設用水切りジョイナーは、水切りジョイナー本体の表面に上下に連通する排水溝を形成し、該排水溝の上部に第一水平面と同一になる立上げ部を立設し、該立上げ部の上端を棟側に延設して第二水平面を形成し、該第二水平面の上方に裏面に空間部が形成されるように堰部を設けることを特徴とするものである。
【０００８】
したがって、水切りジョイナーの直下の野地板上に当接された状態で敷設された防水シート上を雨水が軒先方向に流れやすくして、水切りジョイナーの背面側に浸入した雨水の排水を良好にすることができる。
【０００９】
本発明の請求項２記載の瓦敷設用水切りジョイナーは、請求項１記載の水切りジョイナー本体の表面に上下に連通する排水溝の両側端部に立設する立上げ部を形成することを特徴とするものである。
【００１０】
したがって、水切りジョイナー本体の表面の排水溝の両側端部に立設する側端立上げ部により、水切りジョイナー本体の表面を越えて水切りジョイナー本体の裏面側に雨水がオーバーフローすることもない。
【００１１】
本発明の請求項３記載の瓦敷設用水切りジョイナーは、請求項１又は請求項２記載の水切りジョイナー本体が金属製又は合成樹脂製であることを特徴とする。したがって、水切りジョイナーに排水溝や堰部をプレス成形や射出成形により簡単に形成しやすいものである。
【００１２】
【発明の実施の形態】
図１乃至図５に示したように、本発明の実施形態に係わる瓦敷設用水切りジョイナーであって、図１乃至図３は、瓦敷設用水切りジョイナーの実施例であり、図４及び図５は、上図の瓦敷設用水切りジョイナーの敷設状態を示す図で以下に説明する。
【００１３】
図１乃至図３に示したように、本発明の瓦敷設用水切りジョイナーＡは、ステンレスや鉄製等の金属製やポリカーボネート等の合成樹脂製でできた水切りジョイナー本体１の表面に上下に連通する排水溝２を形成し、この排水溝２の上部に第一水平面３と同一になる立上げ部４を立設し、この立上げ部４の上端を棟側に延設して第二水平面５を形成し、この第二水平面５の上方に裏面に空間部６が形成されるように堰部７を設けたものである。
【００１４】
このとき、堰部７は、第二水平面５の上方に立上り平板瓦８の裏面からの雨水を背面側に越えないようにするものである。万一この堰部７を越えて背面側に浸入しても第二水平面５の上方裏面の空間部６が形成され、開口されているので軒先方向への排水が可能となる。
【００１５】
平板瓦８は、セメント系、コンクリート系、粘土系等の材料で成形されたものである。また、この瓦敷設用水切りジョイナーＡは、金属のプレス成形や合成樹脂製の射出成形により成形される。
【００１６】
さらに、敷設用水切りジョイナーＡが排水溝２の上部に第一水平面３と同一になる立上げ部４が立設され、この立上げ部４の排水溝の両側端部に立設する側端立上げ部１２が形成されている。
【００１７】
図４は、上述した瓦敷設用水切りジョイナーＡを平板瓦８の施工に用いられたもので以下に示す。
【００１８】
まず、軒先に平行になるように平板瓦８ａ、８ａの側端面を当接させながら敷設する。この下段の平板瓦８ａ、８ａ上に側端面の当接部を中心に上段の平板瓦８ｂ、８ｂを重合敷設していく。このとき上段の平板瓦８ｂ、８ｂの側端面の当接部９に本発明の瓦敷設用水切りジョイナーＡを平板瓦８ｂ、８ｂの裏面側に敷いて施工していく。この瓦敷設用水切りジョイナーＡの棟方向の後端は、野地板１０上に敷かれた防水シート１１に当接され、第二水平面５の上方に裏面に空間部６が形成されるよう配設されている。この堰部７の高さは、平板瓦８ｂの板厚より低く形成されている。そして、さらに上段の平板瓦８ｃの重合を妨げないようにされている。
【００１９】
図５のように、瓦敷設用水切りジョイナーＡの後端は、野地板１０上に敷かれた防水シート１１に当接され表面を万一雨水が溢れても裏面側の空間部６より軒先方向に排水される。このとき、敷設用水切りジョイナーＡが排水溝２の上部に第一水平面３と同一になる立上げ部４を立設し、この立上げ部４の排水溝の両側端部に立設する側端立上げ部１２が形成され、水切りジョイナー本体の表面の排水溝２の両側端部に立設する側端立上げ部１２により、水切りジョイナー本体１の表面を越えて水切りジョイナー本体１の裏面側に雨水がオーバーフローすることもない。
【００２０】
【発明の効果】
上述の如く、本発明の請求項１記載の瓦敷設用水切りジョイナーは、水切りジョイナー本体の表面に上下に連通する排水溝を形成し、この排水溝の上部に第一水平面と同一になる立上げ部を立設し、この立上げ部の上端を棟側に延設して第二水平面を形成し、この第二水平面の上方に裏面に空間部が形成されるように堰部を設けているので、水切りジョイナーの直下の野地板上に当接された状態で敷設された防水シート上を雨水が軒先方向に流れやすくして、水切りジョイナーの背面側に浸入した雨水の排水を良好にすることができる。
【００２１】
本発明の請求項２記載の瓦敷設用水切りジョイナーは、水切りジョイナー本体の表面に上下に連通する排水溝の両側端部に立設する立上げ部を形成しているので、水切りジョイナー本体の表面を越えて水切りジョイナー本体の裏面側に雨水がオーバーフローすることもない。
【００２２】
本発明の請求項３記載の瓦敷設用水切りジョイナーは、水切りジョイナー本体が金属製又は合成樹脂製であるので、水切りジョイナーに排水溝や堰部をプレス成形や射出成形により簡単に形成しやすいものである。
【図面の簡単な説明】
【図１】本発明の一実施例に係わる瓦敷設用水切りジョイナーに係わる平面図である。
【図２】本発明の図１のＸ−Ｘ縦断面図である。
【図３】本発明の図２の拡大した縦断面図である。
【図４】本発明の一実施例に係わる瓦敷設用水切りジョイナーを用いて施工した状態を示す平面図である。
【図５】本発明の図５に係わるデッキの回動状態をを示す要部の斜視図である。
【図６】従来の瓦敷設用水切りジョイナーに係わる平面図である。
【図７】上記従来の瓦敷設用水切りジョイナーのＹ−Ｙ縦断面図である。
【図８】従来の瓦敷設用水切りジョイナーを用いて施工した状態を示す要部の縦断面図である。
【符号の説明】
Ａ      瓦敷設用水切りジョイナー
１      水切りジョイナー本体１
２      排水溝
３      第一水平面
４      立上げ部
５      第二水平面
６      空間部
７      堰部
８      平板瓦
９      当接部
１０    野地板
１１    防水シート
１２    側端立上げ部
【図１】
2004250891.tif 000003
【図２】
2004250891.tif 000004
【図３】
2004250891.tif 000005
【図４】
2004250891.tif 000006
【図５】
2004250891.tif 000007
【図６】
2004250891.tif 000008
【図７】
2004250891.tif 000009
【図８】
2004250891.tif 000010